(57)【要約】【課題】ビデオテープ等の記録媒体に、宗派に応じた焼香方法を映像として記録しておき、これを表示装置上に表示させることで、会葬者に対し、その葬儀における正しい焼香方法を予め教え、会葬者が正しい方法を知った上で焼香を行なうことができるようにした焼香方法の教示技術の提供。【解決手段】宗派に応じた焼香方法を映像として記録したビデオテープ１（記録媒体）と、この記録媒体に記録された焼香方法の映像を再生させるビデオデッキ２（再生装置）と、この再生装置で再生した映像を画面上に表示させるテレビ３（表示装置）を備えている。【選択図】　　　図１
2004033613.tif 000002
【特許請求の範囲】
【請求項１】
宗派に応じた焼香方法を映像として記録した記録媒体を再生装置で再生して、この記録媒体に記録された映像による焼香方法を表示装置で表示させることにより、会葬者等に宗派に応じた焼香方法を映像によって教示させることを特徴とした焼香方法の教示方法。
【請求項２】
宗派に応じた焼香方法を映像として記録した記録媒体と、この記録媒体に記録された焼香方法の映像を再生させる再生装置と、この再生装置で再生した映像を画面上に表示させる表示装置を備えていることを特徴とする焼香方法の教示装置。
【発明の詳細な説明】
【０００１】
【発明の属する技術分野】
本発明は、葬儀（通夜、葬式、告別式等を含む）において、会葬者等（遺族、親族、列席者等を含む）に対し、映像によって宗派のしきたりに則った焼香方法を教示させるための教示方法及び教示装置に関する。
【０００２】
【従来の技術】
葬儀は、宗派のしきたりに則った形式で行なわれるのが一般的であり、葬儀のしきたりの中の焼香についても、宗派によってその方法が異なっている。
宗教に関心が少なくなった今日、各宗派ごとの焼香方法を把握している人は少なく、現に、葬儀に際し、間違った方法で焼香を行なっている場面や、個々まちまちの方法で焼香を行なっている場面や、列の前の人を真似して焼香を行なっている場面を見受けることが多い。
これでは、厳粛に行なわれるべき葬儀において、故人に対し非礼にもなりかねない。
【０００３】
【発明が解決しようとする課題】
本発明は、ビデオテープ等の記録媒体に、宗派に応じた焼香方法を映像として記録しておき、これを表示装置上に表示させることで、会葬者に対し、その葬儀における正しい焼香方法を予め教え、会葬者が正しい方法を知った上で焼香を行なうことができるようにした焼香方法の教示方法及び教示装置を提供することを課題としている。
【０００４】
【課題を解決するための手段】
上記課題を解決するために、本発明の焼香方法の教示方法（請求項１）は、
宗派に応じた焼香方法を映像として記録した記録媒体を再生装置で再生して、この記録媒体に記録された映像による焼香方法を表示装置で表示させることにより、会葬者等に宗派に応じた焼香方法を映像によって教示させる構成とした。
【０００５】
又、本発明の焼香方法の教示装置（請求項２）は、
宗派に応じた焼香方法を映像として記録した記録媒体と、この記録媒体に記録された焼香方法の映像を再生させる再生装置と、この再生装置で再生した映像を画面上に表示させる表示装置を備えている構成とした。
【０００６】
【発明の実施の形態】
以下、本発明の実施の形態を図面に示す実施例により説明する。
図１は本発明の焼香方法の教示装置の１例を示す全体図である。
【０００７】
この教示装置Ａは、記録媒体としてのビデオテープ１と、再生装置としてのビデオデッキ２と、表示装置としてのテレビ３（モニター）とを備えている。
前記ビデオテープ１には、宗派に応じた焼香方法が映像として記録されている。
この場合、例えば、日蓮宗であれば、祭壇に向かって合掌し、次に、抹番を摘んでいただき、次に、３回番炉に入れ、再び祭壇に向かって合掌するという動作を、人間のモデルを使って実際に行なわせ、これをビデオカメラによって記録するようにしてもよいし、あるいは、アニメションによって記録するようにしてもよい。
【０００８】
又、焼香方法の他に、宗派の紹介、本山の紹介、題目（念仏）の紹介、葬儀での作法や注意事項（例えば、「携帯電話の電源を切ってください」との注意等）を焼香方法と併せて記録させるようにしてもよい。
本発明では、少なくとも、宗派に応じた焼香方法が映像として記録（録画）されていればよいが、上記した焼香方法の動作や宗派の紹介場面等に合わせた解説を音声で記録（録音）したり、或いはテロップ等の文字による解説を記録（録画）させるようにすれば、更に解り易くなる。
また、１本のビデオテープ１に同一内容を複数回繰り返して記録させるようにしてもよい。
【０００９】
そして、各宗派（例えば、日蓮宗、浄土宗、浄土真宗等）ごとに、前記のような内容（焼香方法、宗派の紹介等）を記録した複数種類のビデオテープ１Ａ，１Ｂ，１Ｃを作成しておき、これらの中からその日に行なわれる葬儀の宗派に対応したビデオテープを選択し、使用するものである。
この場合、ビデオテープ１Ａ，１Ｂ，１Ｃには、宗派を区別するために、宗派名を記したラベルを貼っておくことになる。
【００１０】
なお、記録媒体とては、ビデオテープ１（ＶＨＳ方式、ベータ方式）以外に、ＤＶＤ等のデイスクを用いることができる。
【００１１】
前記ビデオデッキ２は、前記ビデオテープ１を再生させるためのもので、表示装置としてのテレビ３に配線４で接続されている。
従って、このビデオデッキ２にビデオテープ１を挿入セットし、ビデオデッキ２の再生ボタンスイッチを入れることにより、ビデオテープ１に記録した内容をテレビ３によって表示させることができる。
なお、再生装置２は、記録媒体に対応したものを用いるもので、記録媒体がＤＶＤディスクの場合には、ＤＶＤ再生装置を用いることになる。このほか、プロジェクタ等の再生装置を用いることができる。
【００１２】
又、表示装置としては、ブラウン管、液晶、プラズマ等の表示装置の他、プロジェクタ用のスクリーンを用いることができるし、再生装置と表示装置が一体になったもの（例えば、テレビデオ）を用いることができる。
【００１３】
本発明では、前記教示装置Ａを葬儀場、葬儀場の受付、待合室、ロビー等、できるだけ会葬者の目に付き易い場所に設置し、葬儀が始まる前に放映させておく。
なお、テレビ３（表示装置）だけを、前記した会葬者の目に付き易い場所に設置し、ビデオデッキ２（再生装置）を葬儀場の事務所等に設置して、放映時間を管理したり、或いは、再生装置をタイマーにより制御して放映時間を管理することもできる。
この場合、１本のビデオテープ１に同一内容を複数回繰り返して記録させるようにしておけば、１回毎にテープを巻き戻し、再生させるといった手間が省けるため、便利に使用できる。
【００１４】
【発明の効果】
以上説明したように、本発明の焼香方法の教示方法及び教示装置は、ビデオテープ（記録媒体）に記録した焼香方法をビデオデッキ（再生装置）で再生して、テレビ（表示装置）で表示させることにより、会葬者等に宗派に応じた焼香方法を映像によって教示させるものであり、従って、会葬者は、事前にその葬儀の宗派に応じた焼香方法を知ることができ、正しい方法で焼香を行なうことができる。
【図面の簡単な説明】
【図１】本発明の焼香方法の教示装置の１例を示す全体図である。
【符号の説明】
Ａ　教示装置
１Ａ（１）　ビデオテープ（記録媒体）
１Ｂ（１）　ビデオテープ（記録媒体）
１Ｃ（１）　ビデオテープ（記録媒体）
２　ビデオデッキ（再生装置）
３　テレビ（表示装置）
４　配線
【図１】
2004033613.tif 000003